(57)【要約】【要  約】【課  題】    空気調和装置の設置現場でのドレンホースの取付・取外の際にネジ止め作業を不要にする。【解決手段】  空気調和装置は、室内機（１）に内蔵されたドレンパン（１２）と、このドレンパンから外側に突出して設けられた排水管（１３）と、この排水管に取付具（３２）を用いて取り付けられるドレンホース（１６）とを備えている。前記取付具はドレンホースの外周を締め付ける締付部（３６）と、この締付部から突出する突出部（３７）とを具備している。この取付具の突出部と重なることにより、排水管に取り付けられたドレンホースの抜けを防止するストッパー（２６）が、排水管の近傍に設けられている。そして、排水管に嵌め込んだ状態でドレンホースを排水管の軸を中心として回転すると、取付具の突出部が、前記ストッパーと重なったり、ストッパーから離れたりする。【選択図】  図２
2006207870.tif 000002
【特許請求の範囲】
【請求項１】
室内機に内蔵されたドレンパンと、このドレンパンから外側に突出して設けられた排水管と、この排水管に取付具を用いて取り付けられるドレンホースとを備えた空気調和装置において、
前記取付具はドレンホースの外周を締め付ける締付部と、この締付部から突出する突出部とを具備しており、
この取付具の突出部と重なることにより、排水管に取り付けられたドレンホースの抜けを防止するストッパーが、前記排水管の近傍に設けられており、
前記排水管に嵌め込んだ状態でドレンホースを排水管の軸を中心として回転すると、前記取付具の突出部が、前記ストッパーと重なったり、前記ストッパーから離れたりすることを特徴とする空気調和装置。
【請求項２】
前記排水管の近傍にストッパー支持部が設けられ、
このストッパー支持部の先端部付近から排水管の周方向に沿って両側に、前記ストッパーが張り出していることを特徴とする請求項１記載の空気調和装置。
【発明の詳細な説明】
【技術分野】
【０００１】
本発明は、取付具を用いてドレンパンの排水管にドレンホースを取り付ける空気調和装置に関する。
【背景技術】
【０００２】
たとえば特許文献１などに記載されている従来の空気調和装置を、図６を用いて説明する。図６は従来の空気調和装置の要部斜視図である。
図６において、ドレンパン０１の排水管０２に、取付具０３を用いてドレンホース０４が取り付けられる。取付具０３は、ドレンホース０４の外周を締め付けるとともに、リング部０６を具備している。そして、ドレンホース０４の端部を排水管０２に嵌め込んだ後に、この取付具０３のリング部０６を、ネジ孔０７に取付ネジ０８でネジ止めする。このネジ止めにより、ドレンホース０４が排水管０２から不用意に抜けることを防止している。
【特許文献１】特開２００４−２４５５７０号公報
【発明の開示】
【発明が解決しようとする課題】
【０００３】
ところで、この従来の特許文献１に記載されている空気調和装置では、空気調和装置を設置する現場において、ドレンホース０４を排水管０２に嵌め込んだ状態で、ドライバーなどの工具を用いてネジ止め作業を行う必要があり、ドレンホース０４を排水管０２に取り付けたり、また、取り外したりする作業に手間が掛かっている。さらに、空気調和装置が据え付けられた状態での、点検や修理などのサービス時に、吹き出し口などを外すことがあるが、この際にも、ドレンホースを外す必要があり、取付ネジ０８の脱着作業の手間が掛かっている。
【０００４】
解決しようとする問題点は、ドレンホースの取付の際に用いられる取付具を、空気調和装置の設置される現場において、ネジ止めする必要がある点である。
【課題を解決するための手段】
【０００５】
本発明の空気調和装置は、室内機（１）に内蔵されたドレンパン（１２）と、このドレンパンから外側に突出して設けられた排水管（１３）と、この排水管に取付具（３２）を用いて取り付けられるドレンホース（１６）とを備えている。前記取付具はドレンホースの外周を締め付ける締付部（３６）と、この締付部から突出する突出部（３７）とを具備している。この取付具の突出部と重なることにより、排水管に取り付けられたドレンホースの抜けを防止するストッパー（２６）が、排水管の近傍に設けられている。そして、排水管に嵌め込んだ状態でドレンホースを排水管の軸を中心として回転すると、取付具の突出部が、前記ストッパーと重なったり、ストッパーから離れたりする。
【０００６】
また、排水管の近傍にストッパー支持部（２１）が設けられ、このストッパー支持部の先端部付近から排水管の周方向に沿って両側に、前記ストッパーが張り出していることがある。
【発明の効果】
【０００７】
本発明によれば、取付具の突出部と重なることにより、排水管に取り付けられたドレンホースの抜けを防止するストッパーが、排水管の近傍に設けられているので、排水管に嵌め込んだ状態でドレンホースを排水管の軸を中心として回転させて、取付具の突出部をストッパーと重ね合わせてドレンホースの抜けを防止したり、また、取付具の突出部をストッパーから離してストッパーとの重なりを解除してドレンホースを排水管に脱着したりすることができる。その結果、空気調和装置の設置現場で、ネジ止め作業などを行わずに、簡単にドレンホースの取付・取外を行うことができる。
【０００８】
また、ストッパーは、ストッパー支持部の先端部付近から排水管の周方向に沿って両側に張り出しており、ドレンホースを時計方向または反時計方向の何れの方向に回転させても、取付具の突出部をストッパーに重ね合わせることができる。したがって、ドレンホースの回転方向に左右されずに、ドレンホースの取付作業を行うことができ、作業効率が向上する。
【発明を実施するための最良の形態】
【０００９】
空気調和装置の設置現場でのドレンホースの取付・取外の際にネジ止め作業を不要にするという目的を、取付具の突出部と重なることによりドレンホースの抜けを防止するストッパーを排水管の近傍に設け、排水管に嵌め込んだ状態でドレンホースを排水管の軸を中心として回転させて、取付具の突出部をストッパーと重ね合わせてドレンホースの抜けを防止したり、また、取付具の突出部をストッパーから離してストッパーとの重なりを解除してドレンホースを排水管に脱着したりすることで実現した。
【実施例１】
【００１０】
次に、本発明における空気調和装置の一実施例について、図１ないし図５を用いて説明する。図１は本発明における空気調和装置の室内機の側断面図である。図２はドレンパンの排水管周辺を後方から見た斜視図である。図３は排水管に取り付けられたドレンホースの概略の断面図である。図４は取付具の正面図である。図５はドレンホースの取付方法を説明するための、図２のＡ部付近の拡大図で、（ａ）がストッパーで抜け止めする直前の状態の図、（ｂ）がストッパーで抜け止めされている状態の図である。
【００１１】
図１において、空気調和装置の壁掛け型の室内機１は、本体ケース２と、この本体ケース２に取り付けられる前面パネル３及び天面パネル４とを具備している。前面パネル３には前面吸気口６が形成され、また、天面パネル４には上面吸気口７が形成されている。
【００１２】
本体ケース２は横長に形成され、その内部の略中心位置に、長手方向に延設されたクロスフローファン９が回転駆動可能に設けられている。この送風機としてのクロスフローファン９と、前面吸気口６及び上面吸気口７との間に熱交換器１１が配設されている。
【００１３】
熱交換器１１は、３つのブロックからなり、クロスフローファン９を包むように配置され、横長に細長く延在している。この熱交換器１１の下側にはドレンパン１２が設けられ、このドレンパン１２が、熱交換器１１で結露して滴下する水を受け止める。ドレンパン１２は合成樹脂にて横に細長く形成されているとともに、本体ケース２に固定される。ドレンパン１２の下部の左右両側には各々、後側に突出する円筒の排水管１３が設けられている。この排水管１３は、先端側に行くほど低くなるように傾斜している。
【００１４】
図２および図３において、排水管１３の外周には、リング状の段部１４が設けられ、この段部１４の位置までドレンホース１６の先端を嵌め込むようになっている。また、ドレンホース１６の先端部の内面にも、リング状の段部１７が形成されており、この段部１７の位置まで排水管１３の先端が挿入されるようになっている。そして、左右の排水管１３のいずれか一方を選択して、ドレンホース１６が取り付けられ、他方の排水管１３には、図示しない閉塞栓が取り付けられる。この閉塞栓はゴム製で、その外周が排水管１３の内面に接し、水蜜に取り付られる。
【００１５】
排水管１３の近傍には、円柱状のストッパー支持部２１がドレンパン１２から後側に突出している。このストッパー支持部２１の先端には、ネジ孔が設けられている。そして、ストッパー支持部２１の先端に、図５に図示するストッパー２６がネジ２７でネジ止めされる。ストッパー２６は、その中央部に、ネジ２７が挿入される貫通孔が形成されるとともに、この中央部から略円弧状に両側に張り出している。そして、ストッパー２６は、その略円弧状の部分が排水管１３の外周面に沿うように配置される。なお、ストッパー２６と排水管１３との間隔は、ドレンホース１６を排水管１３に装着することができる値（すなわち、ドレンホース１６の端部の肉厚よりも少し大きな値）に設定される。
【００１６】
ドレンホース１６の端部には、その外周面にリング状の溝３１が形成され、このドレンホース１６の溝３１に、図４に図示する取付具３２が装着される。取付具３２は、ドレンホース１６の溝３１に嵌まってドレンホース１６の外周面を締め付ける締付部３６と、締付部３６から突出する突出部３７とを具備している。締付部３６は弾性を有するとともに、一部が切り欠かれたリング状をしている。そして、このリングの切欠き部とは反対側に突出部３７が締付部３６と一体に形成されるとともに、リングの径方向に外側に突出している。また、締付部３６のリングの径は、ドレンホース１６の溝３１の径よりも小さく形成され、締付部３６が溝３１に取り付けられると、ドレンホース１６の外周面を締め付ける。
【００１７】
この様に構成されている空気調和装置において、ドレンパン１２の排水管１３にドレンホース１６を取り付ける際には、まず初めに、ドレンホース１６の溝３１に取付具３２を装着する。ついで、ドレンホース１６の先端部を排水管１３に嵌め込み、図５（ａ）に図示する状態にする。その後、時計方向または反時計方向に、ドレンホース１６を排水管１３の軸を中心として回転させ、図５（ｂ）に図示するように、取付具３２の突出部３７がストッパー２６に重なる状態にする。この重なっている方向は、ドレンホース１６の軸方向と略平行であり、かつ、取付具３２の突出部３７は、ドレンパン１２の本体とストッパー２６との間に位置している。そのため、ドレンホース１６が排水管１３から抜ける方向に移動しようとすると、取付具３２の突出部３７がストッパー２６に係合して係止され、ドレンホース１６が排水管１３から抜けることが阻止される。
【００１８】
一方、ドレンホース１６をドレンパン１２の排水管１３から取り外す際には、ドレンホース１６を排水管１３の軸を中心として回転させて、取付具３２の突出部３７をストッパー２６から遠のかせ、取付具３２の突出部３７とストッパー２６との重なりを解除する。ついで、ドレンホース１６を排水管１３から引き抜く。
【００１９】
この様にして、ドレンホース１６を排水管１３の軸を中心として回転させることにより、簡単に抜け止めを行うことができる。したがって、ドレンホース１６の取付・取外作業が極めて簡単になる。また、ストッパー２６のネジ止めは出荷前（すなわち、メーカーの工場）で行われるため、出荷後（すなわち、空気調和装置の設置場所で）のネジ止め作業を減少させることができる。
【００２０】
また、取付具３２の締付部３６が、ドレンホース１６をその外周面から排水管１３に押圧するため、ドレンホース１６の内周面が排水管１３に密着し、ドレンホース１６と排水管１３とのシール性が十分に発揮される。
【００２１】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（１）ドレンホースは可撓性であるが、排水管に嵌め込むことができるならば、構造や材質などは適宜選択可能である。
【００２２】
（２）室内機１は、必ずしも壁掛け型室内機である必要はなく、たとえば、天井埋込型や床置き型などの他の型式でも可能である。
（３）取付具３２の締付部３６は、ドレンホース１６の外周面を締め付けることができるならば、その形状、材質や構造などは適宜選択可能である。たとえば、取付具３２は、板金やバネ材などで形成される。
【００２３】
（４）取付具３２の突出部３７およびストッパー２６は、重なることにより、ドレンホース１６の抜け止めを行うことができ、かつ、排水管１３の軸を中心としてドレンホース１６を回転させて、突出部３７とストッパー２６との重なりを解除できるならば、その形状、材質や構造などは適宜選択可能である。たとえば、ストッパー２６はストッパー支持部２１にネジ止めされているが、ストッパー２６とストッパー支持部２１とを一体成形することも可能である。また、ストッパー２６を板金で形成したり、樹脂で形成したりすることが可能である。
【００２４】
（５）ストッパー２６はストッパー支持部２１の先端部付近から両側に張り出しているが、一方の側のみに張り出すことも可能である。ただし、両側に張り出していると、ドレンホース１６を時計方向または反時計方向の何れの方向に回しても、ストッパー２６を取付具３２の突出部３７に重ね合わせることができる。したがって、ストッパー２６は両側に張り出していることが好ましい。
（６）ドレンパンは、少なくとも一本の排水管を具備していれば、その材質や構造などは適宜変更可能である。
【産業上の利用可能性】
【００２５】
取付具の突出部との重なりでドレンホースの抜けを防止するストッパーを排水管の近傍に設けることにより、排水管に嵌め込んだ状態でドレンホースを排水管の軸を中心として回転させて、取付具の突出部をストッパーと重ね合わせてドレンホースの抜けを防止したり、また、取付具の突出部をストッパーから離してストッパーとの重なりを解除してドレンホースを排水管に脱着したりすることができる。そのため、空気調和装置の設置される現場でドレンホースの取付・取外作業を行う可能性のある空気調和装置に適用することが最適である。
【図面の簡単な説明】
【００２６】
【図１】図１は本発明における空気調和装置の室内機の側断面図である。
【図２】図２はドレンパンの排水管周辺を後方から見た斜視図である。
【図３】図３は排水管に取り付けられたドレンホースの概略の断面図である。
【図４】図４は取付具の正面図である。
【図５】図５はドレンホースの取付方法を説明するための、図２のＡ部付近の拡大図で、（ａ）がストッパーで抜け止めする直前の状態の図、（ｂ）がストッパーで抜け止めされている状態の図である。
【図６】図６は従来の空気調和装置の要部斜視図である。
【符号の説明】
【００２７】
１  室内機
１２  ドレンパン
１３  排水管
１６  ドレンホース
２１  ストッパー支持部
２６  ストッパー
３２  取付具
３６  取付具の締付部
３７  取付具の突出部
【図１】
2006207870.tif 000003
【図２】
2006207870.tif 000004
【図３】
2006207870.tif 000005
【図４】
2006207870.tif 000006
【図５】
2006207870.tif 000007
【図６】
2006207870.tif 000008